【事件の表示】
　平成　５年特許願第１５５７４８号「表示位置更新方式」拒絶査定に対する審判事件［平成　７年　１月１７日出願公開、特開平　７−　１３５４３］について、次のとおり審決する。
【結　論】
　本件審判の請求は、成り立たない。
【理　由】
第一．手続の経緯
  この出願は、平成５年６月２５日の特許出願である。
　
第二．本願発明
　この出願の発明は、平成１１年３月５日付け手続補正書により補正された明細書及び図面の記載からみて、その特許請求の範囲の請求項１に記載された下記のとおりのものと認める（以下、請求項１に記載された発明を単に「本願発明」という）。
記（特許請求の範囲）
（請求項１）インターレーススキャン方式のディスプレイにおいて、それぞれのフィールド毎に１ラインの太さを有するカーソル等の表示の上方向スクロール時と下方向スクロール時について、奇数フィールドから偶数フィールドに切り替わるときに表示位置を更新するか、偶数フィールドから奇数フィールドに切り替わるときに表示位置を更新するかを、各フィールド間の表示位置の変化が少なくなるように選択する手段を設けたことを特徴とする表示位置更新方式。
　
第三．引用刊行物の記載
  これに対して、原査定の拒絶の理由に引用された「特開昭６０−１０７０９０号公報」（昭和６０年６月１２日出願公開、以下、単に「引用刊行物」という）には、「表示アドレス発生回路」に関し、以下の事項が記載されている。
（ア）「本発明は、表示されている文字や図形などの画像の表示位置を変化させることが可能なインターレース表示を行なうラスタースキャン形の表示装置における表示アドレス発生回路に関するものである。」（第１頁右下欄５行から９行まで）
（イ）「このような従来の表示アドレス発生回路を用いたインターレース表示を行なう表示装置で、画像を垂直方向に移動した場合の様子を第４図および第５図を用いて説明する。・・・１ドットは２つの○印で表示されることになる。・・・第４図ａは画像が静止している場合を示している。・・・第４図ｂ、ｃは画像が２フィールドに１ドットの速度で下方に移動する場合を示しており、第４図ｂは偶数フィールドで画像の位置が変化する場合を、第４図ｃは奇数フィールドで画像の位置が変化する場合すなわち１ドットを示している。第４図ｄ、ｅは画像が２フィールドに１ドットの速度で上方に移動する場合を示しており、第４図ｄは偶数フィールドで画像の位置が変化する場合、（すなわちドットとドットの間で変化する場合）第４図ｅは奇数フィールドで画像の位置が変化する場合（すなわち１ドットを構成するペアの間で変化する場合）を示している。第５図ａは画像が３フィールドに１ドットの速度で下方に移動する場合を、第５図ｂは３フィールドに１ドットの速度で上方に移動する場合を示している。第４図ｃ、ｄ、第５図の例では、画像の動きがなめらかではなく、不自然さが生じている。」（第２頁左下欄５行から右下欄１９行まで）
（ウ）「本発明は水平アドレス発生カウンタおよび垂直アドレス発生カウンタの初期値をラッチする水平アドレス初期値ラッチおよび垂直アドレス初期値ラッチと画像の移動方向の垂直成分を検出する移動方向検出回路を設けることにより、移動方向の垂直成分が上方、下方、零を検出し、水平アドレス初期値ラッチおよび垂直アドレス初期値ラッチの更新をおのおの奇数（偶数）フィールドのみ、偶数（奇数）フィールドのみ、偶数奇数フィールドで行なうものである。」（第３頁左上欄６行から１５行まで）
（エ）「第６図は本発明の一実施例における表示アドレス発生回路の構成図であり、１１は表示クロックの入力端子、１２は水平同期信号の入力端子、１３は垂直同期信号の入力端子、１４は水平アドレスを発生する水平アドレス発生カウンタ、１５は水平アドレス初期値の入力端子、２０は入力端子１５に印加されるアドレス初期値を保持する水平アドレス初期値ラッチ、１６は水平アドレスの出力端子、１７は垂直アドレスを発生する垂直アドレス発生カウンタ、１８は垂直アドレス初期値の入力端子、２１は入力端子１８に印加される値を保持するための垂直アドレス初期値ラッチ、１９は垂直アドレスの出力端子、２２は入力端子１８に印加される垂直アドレス初期値と垂直アドレス初期値ラッチに保持されている値を比較し画像の移動方向の垂直成分が上方の時はＳ１に信号を出力し、下方の時はＳ２に信号を出力し、垂直方向の移動がない時はＳ１とＳ２に信号を出力する移動方向検出回路、２３は偶数フィールドの開始を表わすパルスの入力端子、２４は奇数フィールドの開始を表わすパルスの入力端子である。」（第３頁左上欄１８行から右上欄１８行まで）
（オ）「いま入力端子１８に印加される値が変化すると移動方向検出回路２２は入力端子１８の値と垂直アドレス初期値ラッチ２１の出力値とを比較し移動方向を判定し、移動方向が下方であるので信号Ｓ２のみを出力するしたがって信号Ｓ３には入力端子２３に印加されるパルスのみが発生され垂直アドレス初期値ラッチ２１および水平アドレス初期値ラッチ２０の出力は偶数フィールドの先頭で更新され、第７図ｈのようになる。したがって、垂直アドレス発生カウンタ１７の初期値は偶数フィールドで変化することになり、出力端子１９の垂直アドレスも偶数フィールドで変化する。」（第３頁左下欄１４行から右下欄５行まで）
（カ）「同様にして、移動方向の垂直成分が上方の場合は、入力端子１８に印加される値が変化する毎に移動方向検出回路２２からは信号Ｓ１のみが出力され、垂直アドレス初期値ラッチ２１の出力は奇数フィールドで変化し、垂直アドレスも奇数フィールドで変化する。」（第３頁右下欄６行から１１行まで）
（キ）「上記のように構成された表示アドレス発生回路を用いた表示装置において、画像の移動させた様子を第８図ａ〜ｅおよび第９図ａ、ｂに示す。第８図および第９図においては、１ドットのみからなる画像を移動させた場合の垂直方向の位置の変化とフィールドとの関係を示しており、横軸に１フィールド毎の変化を示している。第８図および第９図はおのおの第４図及び第５に対応している。」（第３頁右下欄１８行から第４頁左上欄６行まで）
（ク）「本発明の表示アドレス発生回路によれば、文字や図形などの画像を表示する表示装置において、表示する画像の表示位置を変化させて、画像に動きを持たせるときに、その移動状態を滑らかにすることができる。」（第４頁左上欄１０行から１４行まで）
（ケ）第８図と第４図および第９図と第５図とをぞれぞれ対比すると、いずれも、「その移動状態が滑らかになっていること」がみてとれる。
　
第四．対比
　本願発明と引用刊行物に記載された発明とを対比する。
（引用刊行物に記載された発明）
　上記事項（ア）から、「インターレース表示を行なうラスタースキャン形の表示装置における表示アドレス発生回路」に関する発明であることが記載されている。
　上記事項（オ）から、「移動方向が下方である場合は垂直アドレス発生カウンタ１７の初期値は偶数フィールドの先頭で更新される」が記載されている。この場合において、更新される直前のフィールドが奇数フィールドであったときは、「奇数フィールドから偶数フィールドに切り替わるときに更新される」こととなる。
　上記事項（カ）から、「移動方向が上方である場合は垂直アドレス発生カウンタ１７の初期値は奇数フィールドの先頭で更新される」が記載されている。この場合において、更新される直前のフィールドが偶数フィールドであったときは、「偶数フィールドから奇数フィールドに切り替わるときに更新される」こととなる。
　上記（エ）（オ）（カ）から、「移動方向が下方である場合は垂直アドレス発生カウンタ１７の初期値は偶数フィールドの先頭で更新される」と、「移動方向が上方である場合は垂直アドレス発生カウンタ１７の初期値は奇数フィールドの先頭で更新される」との選択は、移動方向検出回路２２の出力信号Ｓ１、Ｓ２により入力端子２３に印加される偶数フィールドの開始を表わすパルスと入力端子２４に印加される奇数フィールドを表わすパルスを選択し、この選択されたパルスＳ３により入力端子１８に印加される垂直アドレス初期値を垂直アドレス初期値ラッチ２１にラッチすることにより行なわれ、「移動方向検出回路２２」、「入力端子２３、２４」及び「偶数フィールド及び奇数フィールドの開始を表わすパルス及びパルスＳ１、Ｓ２を入力しパルスＳ３を出力する論理回路」が選択する手段を構成する。
　上記事項（ア）（イ）（キ）（ク）（ケ）から、「移動方向が下方である場合は垂直アドレス発生カウンタ１７の初期値は偶数フィールドの先頭で更新される」と、「移動方向が上方である場合は垂直アドレス発生カウンタ１７の初期値は奇数フィールドの先頭で更新される」との選択は、「画像の移動状態を滑らかする」ことを目的として行われる。
　したがって、引用刊行物には、下記の発明が記載されている。
記（引用刊行物に記載された発明）
　インターレース表示を行なうラスタースキャン形の表示装置において、画像の移動方向が下方である場合と上方である場合について、奇数フィールドから偶数フィールドに切り替わるときに垂直アドレス発生カウンタ１７の初期値を更新するか、偶数フィールドから奇数フィールドに切り替わるときに垂直アドレス発生カウンタ１７の初期値を更新するかを、画像の移動状態を滑らかにするように選択する手段を設けたことを特徴とする表示アドレス発生回路。
（一致点・相違点）
　引用刊行物において、「垂直アドレスカウンタの初期値を更新すること」により「画像の表示位置は更新されること」は明らかである。
　よって、引用刊行物に記載された発明の、「画像の移動方向が下方である場合と上方である場合」、「奇数フィールドから偶数フィールドに切り替わるときに垂直アドレス発生カウンタ１７の初期値を更新するか、偶数フィールドから奇数フィールドに切り替わるときに垂直アドレス発生カウンタ１７の初期値を更新するか」、「画像の移動状態を滑らかにするように選択する手段」、及び「インターレース表示を行なうラスタースキャン形の表示装置における表示アドレス発生回路」は、それぞれ、本願発明の「表示の上方向スクロール時と下方向スクロール時」、「奇数フィールドから偶数フィールドに切り替わるときに表示位置を更新するか、偶数フィールドから奇数フィールドに切り替わるときに表示位置を更新するか」、「各フィールド間の表示位置の変化が少なくなるように選択する手段」及び「インターレーススキャン方式のディスプレイにおける表示位置更新方式」に相当する。
　したがって、本願発明と引用刊行物に記載された発明とは、下記１の一致点において一致し、下記２の相違点において相違する。
記１（一致点）
　インターレーススキャン方式のディスプレイにおいて、表示の上方向スクロール時と下方向スクロール時について、奇数フィールドから偶数フィールドに切り替わるときに表示位置を更新するか、偶数フィールドから奇数フィールドに切り替わるときに表示位置を更新するかを、各フィールド間の表示位置の変化が少なくなるように選択する手段を設けたことを特徴とする表示位置更新方式。
記２（相違点）
　表示の内容が、本願発明は「それぞれのフィールド毎に１ラインの太さを有するカーソル等の表示」であるのに対して、引用刊行物に記載された発明は「文字や図形などの画像の表示」である点。
　
第五．当審の判断
（相違点）
  上記相違点について検討する。
　本願明細書の［０００１］には、「インターレーススキャン方式のディスプレイ上でカーソル等の表示をスムーズにスクロールさせるための表示位置更新方式に関する。」と記載されている。
　同じく、［０００２］には、「図３はインターレーススキャン方式のディスプレイＤ上で、ボックス状のカーソルＣが移動する様子を示している。図４及び図５は、図３のカーソルＣの横線を拡大したものであり」と記載されている。
　同じく、［０００７］には、「カーソルはそれぞれのフィールド毎に１ラインの太さを有しており」と記載されている。
　これらの記載からみて、「それぞれのフィールド毎に１ラインの太さを有するカーソル等の表示」との記載の「カーソル等」は、「それぞれのフィールド毎に１ラインの太さを有する表示」において、「カーソル」を代表例として例示したものを意味するものと理解される。
　ところで、ラスタースキャン方式のディスプレイでは、インターレース・非インターレースによらずそれぞれのフィールドにおいて１走査線が１ラインの太さに相当することは明らかであるから、「それぞれのフィールド毎に１ラインの太さを有する表示」はラスタースキャン方式における通常の態様に過ぎない。
　そして、引用刊行物に記載の「ラスタースキャン形の表示装置」も、「それぞれのフィールド毎に１ラインの太さを有する表示」を行なっている。
　したがって、「それぞれのフィールド毎に１ラインの太さを有するカーソル等の表示」は、単に、ラスタースキャン方式における通常の態様を記載したものに過ぎず、上記相違点は当業者が容易になしうることと認められる。
　なお、もし仮に、「それぞれのフィールド毎に１ラインの太さを有するカーソル等の表示」は「「それぞれのフィールド毎に１ラインの太さを有するカーソル」等の表示」の意味であると解釈したとすると、「それぞれのフィールド毎に１ラインの太さを有するカーソル」は「表示」の代表例を示すのに過ぎず、「表示」の内容は「それぞれのフィールド毎に１ラインの太さを有するカーソル」に特定されないこととなる。そして、「それぞれのフィールド毎に１ラインの太さを有するカーソル」を特定しない本願発明の「表示」は引用刊行物に記載された「文字や図形などの画像の表示」と実質的に異なるところはなく、この場合も、上記相違点は当業者が容易になしうることとなる。
（効果）
　また、本願発明の効果についても、引用刊行物に記載された事項から、当業者が予測をすることができる程度のものである。
（まとめ）
  よって、本願発明は、引用刊行物に記載された発明に基いて当業者が容易に発明をすることができたものである。
（請求人の主張等）
　請求人は、「それぞれのフィールド毎に１ラインの太さを有するカーソル等の表示」に関連して、審判請求書第３頁２６行〜第４頁３行において、「引用例１および引用例２では、ドット又は図形を移動するタイミングを２フィールドに１回行なう方式であるのに対し、本願請求項１の発明は、ラインをスクロールするタイミングを各フィールド毎に行うことが可能なことに特徴がある方式と考えます。これは、本願請求項１の実施例で説明している水平方向のラインカーソルが、ＯＤＤフィールドおよびＥＶＥＮフィールドの各１ラインから構成することを前提としているために、各フィールド毎にカーソルの位置を更新することで、各フィールドのラインの上下が入れ替わっても、違和感なくスクロールできるためです。」と主張する。
　しかし、この主張における「本願請求項１の実施例で説明している水平方向のラインカーソルが、ＯＤＤフィールドおよびＥＶＥＮフィールドの各１ラインから構成することを前提としているために、各フィールド毎にカーソルの位置を更新する」は、本願明細書には記載されておらず（図１、図２において、アドレス更新は奇数フィールド又は偶数フィールドのいずれかで行ってはいるが、奇数フィールドで行なう図１の場合と偶数フィールドで行なう図２の場合のいずれもアドレス更新は２フィールドに１回行っており、各フィールド毎に行なってはいない）、この主張は採用することができない。
　そして、「それぞれのフィールド毎に１ラインの太さを有するカーソル等の表示」については、上記「第五　当審の判断（相違点）」のとおりである。
　
第六．むすび
  以上のとおりであるから、本願発明は、引用刊行物に記載された発明に基いて当業者が容易に発明をすることができたものである。
　したがって、いずれも、特許法第２９条第２項の規定により特許を受けることができない。
  よって、結論のとおり審決する。